(57)【要約】【課題】構造体の耐力を低減できる集合住宅を提供する。【解決手段】本発明の集合住宅（１）は、複数の居住空間（１２）が形成された構造体（１０）と、居住空間（１２）に着脱可能に構成されている住宅ユニット（２０）とを備えている。住宅ユニット（２０）は、床パネルと、この床パネルと連結された側壁パネルと、この側壁パネルと連結された天井パネルとを有する箱体である。床パネル、側壁パネル、及び天井パネルの少なくとも１枚のパネルは、繊維強化プラスチックを含有する。【選択図】図１
2018003259.tif 000002
【特許請求の範囲】
【請求項１】
複数の居住空間が形成された構造体と、
前記居住空間に着脱可能に構成されている住宅ユニットとを備え、
前記住宅ユニットは、床パネルと、前記床パネルと連結された側壁パネルと、前記側壁パネルと連結された天井パネルとを有する箱体であり、
前記床パネル、前記側壁パネル、及び前記天井パネルの少なくとも１枚のパネルは、繊維強化プラスチックを含有する、集合住宅。
【請求項２】
前記床パネル、前記側壁パネル、及び前記天井パネルの少なくとも１枚のパネルは、炭素繊維強化プラスチックを含有する、請求項１に記載の集合住宅。
【請求項３】
前記床パネル、前記側壁パネル、及び前記天井パネルの少なくとも１枚のパネルは、表面層と、前記表面層と反対側の裏面層と、前記表面層と前記裏面層との間に形成された中間層とを含み、
前記表面層及び前記裏面層は、炭素繊維強化プラスチック及び／またはガラス繊維強化プラスチックで形成され、
前記中間層は、炭素繊維強化プラスチックで形成されたリブを含む、請求項１または２に記載の集合住宅。
【請求項４】
前記中間層は、前記リブの間に配置された断熱材をさらに含む、請求項３に記載の集合住宅。
【発明の詳細な説明】
【技術分野】
【０００１】
本発明は、集合住宅に関する。
【背景技術】
【０００２】
従来より、柱、梁、床などで形成された構造体であるスケルトンと、住戸内の内装、設備などのインフィルとを分離して作製されたスケルトン・インフィル住宅がある（例えば特許文献１及び２）。特許文献１には、スケルトンは、主として耐久性の向上を図るべく設計されるのに対して、インフィルは、主として可変性や更新性を追求すべく設計されることが記載されている。また、特許文献２には、インフィルが鉛直荷重に対して構造的に自立し、地震力についてはスケルトンによって構造的に支持される機構を持つメゾネット形式のスケルトン・インフィル住宅では、床構造に加わる水平力をスケルトンに伝達することで、インフィルの壁の負担を軽減することが可能であることが記載されている。
【先行技術文献】
【特許文献】
【０００３】
【特許文献１】特開２００５−２０１０４１号公報
【特許文献２】特開２０００−９６７５１号公報
【発明の概要】
【発明が解決しようとする課題】
【０００４】
上記特許文献１及び２に開示されているように、従来のスケルトン・インフィル住宅においては、スケルトンに十分な耐力が求められてきた。
【０００５】
本発明は、構造体の耐力を低減できる集合住宅を提供することを課題とする。
【課題を解決するための手段】
【０００６】
本発明の集合住宅は、複数の居住空間が形成された構造体と、居住空間に着脱可能に構成されている住宅ユニットとを備え、住宅ユニットは、床パネルと、この床パネルと連結された側壁パネルと、この側壁パネルと連結された天井パネルとを有する箱体であり、床パネル、側壁パネル、及び天井パネルの少なくとも１枚のパネルは、繊維強化プラスチック（ＦＲＰ：Fiber Reinforced Plastics）を含有する。
【０００７】
本発明の集合住宅によれば、箱体である住宅ユニットを構成する床パネル、側壁パネル、及び天井パネルの少なくとも１枚のパネルは、繊維強化プラスチックを含有している。繊維強化プラスチックを含有するパネルは高い耐力を有するので、住宅ユニットは高い耐力を有している。このように本発明では、住宅ユニットに高い耐力を持たせることにより、構造体の耐力を住宅ユニットに負担させることができる。したがって、構造体の耐力を低減することができる。
【０００８】
本発明の住宅ユニットにおいて好ましくは、床パネル、側壁パネル、及び天井パネルの少なくとも１枚のパネルは、炭素繊維強化プラスチック（ＣＦＲＰ：Carbon Fiber Reinforced Plastics）を含有する。
【０００９】
繊維強化プラスチックの中でも炭素繊維強化プラスチックは強度が高いため、住宅ユニットを構成する床パネル、側壁パネル、及び天井パネルの少なくとも１枚のパネルが炭素繊維強化プラスチックを含有していると、住宅ユニットの耐力をより向上できる。したがって、構造体の耐力をより低減することができる。
【００１０】
本発明の住宅ユニットにおいて、床パネル、側壁パネル、及び天井パネルの少なくとも１枚のパネルは、表面層と、この表面層と反対側の裏面層と、表面層と裏面層との間に形成された中間層とを含み、表面層及び裏面層は、炭素繊維強化プラスチック及び／またはガラス繊維強化プラスチック（ＧＦＲＰ：Glass Fiber Reinforced Plastics）で形成され、中間層は、炭素繊維強化プラスチックで形成されたリブを含んでいてもよい。
【００１１】
中間層の炭素繊維強化プラスチックで形成されたリブにより強度を向上しつつ、表面層及び裏面層の炭素繊維強化プラスチック及び／またはガラス繊維強化プラスチックで覆われたパネルを実現できる。
【００１２】
本発明の集合住宅において好ましくは、上記中間層は、リブの間に配置された断熱材をさらに含んでいてもよい。これにより、耐力に加えて、断熱性能を高めるパネルを実現できる。
【発明の効果】
【００１３】
本発明の集合住宅によれば、構造体の耐力を低減することができる。
【図面の簡単な説明】
【００１４】
【図１】本発明の実施の形態の集合住宅を概略的に示す斜視図である。
【図２】本発明の実施の形態の住宅ユニットを概略的に示す斜視図である。
【図３】本発明の実施の形態の住宅ユニットを構成するパネルを概略的に示す分解斜視図である。
【図４】実施の形態の住宅ユニットを構成するパネルの中間層のリブを概略的に示す斜視図である。
【発明を実施するための形態】
【００１５】
以下、図面に基づいて本発明の実施の形態を説明する。なお、以下の図面において同一または相当する部分には同一の参照符号を付しその説明は繰り返さない。
【００１６】
図１〜図４を参照して、本発明の一実施形態の集合住宅について説明する。図１に示すように、本実施の形態の集合住宅１は、構造体１０と、住宅ユニット２０とを備えている。
【００１７】
構造体１０は、スケルトン・インフィル住宅におけるスケルトンに相当し、柱、梁、床などで構成された構造躯体１１を含んでいる。また、構造体１０は、複数の居住空間１２を形成している。居住空間１２は、１階において複数形成されていてもよく、複数階層に亘って複数形成されていてもよい。
【００１８】
各々の居住空間１２には、住宅ユニット２０が着脱可能である。つまり、構造体１０の居住空間１２は、住宅ユニット２０を受け入れ可能である。
【００１９】
図２に示すように、住宅ユニット２０は、箱体であり、床パネル２１と、この床パネル２１と連結された側壁パネル２２と、この側壁パネル２２と連結された天井パネル２３とを有している。床パネル２１、側壁パネル２２及び天井パネル２３は、住宅ユニット２０の外郭をなしている。床パネル２１、側壁パネル２２及び天井パネル２３のそれぞれは、構造体１０において居住空間１２を形成する構造躯体１１の床部、側壁部及び天井部と重なる。
【００２０】
床パネル２１、側壁パネル２２及び天井パネル２３のそれぞれは、複数のパネル部材で形成されてもよく、１枚のパネル部材で形成されてもよい。また、床パネル２１、側壁パネル２２及び天井パネル２３は一体成型されていてもよく、それぞれのパネルが連結部材で連結されていてもよいが、床パネル２１、側壁パネル２２及び天井パネル２３のうちの少なくとも２枚のパネルが一体成型されていることが好ましい。
【００２１】
床パネル２１、側壁パネル２２、及び天井パネル２３の少なくとも１枚のパネルは、繊維強化プラスチック（樹脂）を含有し、炭素繊維強化プラスチックを含有することが好ましい。また、床パネル２１、側壁パネル２２、及び天井パネル２３は、繊維強化プラスチックを含有することが好ましい。繊維強化プラスチックは、繊維をプラスチック（樹脂）の中に入れて強度を向上させた複合材料であり、繊維及び樹脂は特に限定されない。繊維として、例えば、ガラス繊維、炭素繊維、アラミド繊維、ポリエチレン繊維、ザイロン繊維、ボロン繊維などを用いることができ、樹脂として、例えば、ポリエステル樹脂、ビニルエステル樹脂、エポキシ樹脂、フェノール樹脂などの熱硬化性樹脂、熱可塑性樹脂などを用いることができる。
【００２２】
本実施の形態では、図３に示すように、床パネル２１は、表面層２４と、裏面層２５と、表面層２４と裏面層２５との間に形成された中間層２６とを含んでいる。
【００２３】
表面層２４及び裏面層２５は、１層で構成されていてもよく、複数層で構成されていてもよいが、炭素繊維強化プラスチック及び／またはガラス繊維強化プラスチックで形成された層を有していることが好ましい。表面層２４及び裏面層２５は、例えば、炭素繊維強化プラスチック層とガラス繊維強化プラスチック層とが交互に積層されてなる。なお、表面層２４と裏面層２５とは同じであってもよく、異なっていてもよい。
【００２４】
図３に示す中間層２６は、リブ２７と、このリブ２７の間に配置された断熱材２８とを含んでいる。リブ２７は、繊維強化プラスチックで形成されていることが好ましく、炭素繊維強化プラスチックで形成されていることがより好ましい。リブ２７は、図４に示すように外郭をなす枠体と、この枠体の内部に格子状に配置された内蔵リブとを有している。なお、内蔵リブの配置は特に限定されず、例えば、ブレース状（対角線に延びる形状）などに配置されてもよい。
【００２５】
断熱材２８は、リブ２７の空隙部に設けられており、断熱性能、遮音性能などを有していることが好ましく、また軽量であることが好ましい。断熱材２８として、例えば発泡アクリルなどの発泡体が用いられる。
【００２６】
ここで、図３に示す床パネル２１の構造は、一例であって、要求される性能に応じて適宜変更され得る。また、図３に示す床パネル２１の構造は、側壁パネル２２及び天井パネル２３にも適用可能であるが、要求される性能に応じて適宜変更され得る。
【００２７】
続いて、本実施の形態の集合住宅１の効果について説明する。
【００２８】
本実施の形態の集合住宅１は、複数の居住空間１２が形成された構造体１０と、居住空間１２に着脱可能に構成されている住宅ユニット２０とを備え、住宅ユニット２０は、床パネル２１と、この床パネル２１と連結された側壁パネル２２と、この側壁パネル２２と連結された天井パネル２３とを有する箱体であり、床パネル２１、側壁パネル２２、及び天井パネル２３の少なくとも１枚のパネルは、繊維強化プラスチックを含有している。
【００２９】
繊維強化プラスチックを含有するとパネルの耐力を高めるので、この繊維強化プラスチックを床パネル２１、側壁パネル２２、及び天井パネル２３の少なくとも１枚のパネルが含有していると、住宅ユニット２０の耐力を向上できる。住宅ユニット２０の耐力を向上することにより、構造体１０の耐力を住宅ユニット２０に負担させることができる。したがって、構造体１０の要する耐力を低減しても集合住宅１の耐力を維持できるので、構造体１０の制約を緩和できる。
【００３０】
また、繊維強化プラスチックは軽量である。このため、本実施の形態の住宅ユニット２０は軽量にも関わらず耐力を有する箱体であるので、内装などを箱体の内部に収容した状態で移設可能である。このため、図１に示すように、クレーンを用いて住宅ユニット２０を構造体１０の居住空間１２に装着することも容易である。
【００３１】
よって、本実施の形態によれば、集合住宅１となる構造体１０及び住宅ユニット２０をそれぞれ別供給することを容易にするので、施工現場での負担を軽減でき、品質を保持でき、安定供給を可能とすることができる。
【００３２】
今回開示された実施の形態はすべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００３３】
１  集合住宅、１０  構造体、１１  構造躯体、１２  居住空間、２０  住宅ユニット、２１  床パネル、２２  側壁パネル、２３  天井パネル、２４  表面層、２５  裏面層、２６  中間層、２７  リブ、２８  断熱材。
【図１】
2018003259.tif 000003
【図２】
2018003259.tif 000004
【図３】
2018003259.tif 000005
【図４】
2018003259.tif 000006